(57)【要約】【課題】発光素子を利用した発光装置の露光品質を向上させる。【解決手段】Ｘ方向に配列する複数の発光素子Ｅを各々が含む素子群Ｇ１およびの素子群Ｇ２がＸ方向とは異なるＹ方向に並列に配置され、素子群Ｇ１および素子群Ｇ２のうち何れかを発光させる駆動部４０を備え、Ｘ方向に沿って配置されて各発光素子Ｅからの出射光を集光する複数のレンズ１４を各々が含む第１のレンズ群Ｌ１および第２のレンズ群Ｌ２がＹ方向に並列に配置され、基準線Ｌｃから見てＹ方向における一方側に素子群Ｇ１が配置され、基準線Ｌｃから見てＹ方向における他方側に素子群Ｇ２が配置され、基準線Ｌｃと素子群Ｇ１の発光素子Ｅとの間のＹ方向における距離Ｄ１は、基準線Ｌｃと素子群Ｇ２の発光素子Ｅとの間のＹ方向における距離Ｄ２と等しい。【選択図】      図２
2009158477.tif 000002
【特許請求の範囲】
【請求項１】
基準線に沿って並ぶ、複数の発光素子と、前記各発光素子からの出射光を集光する複数のレンズとを有し、
前記複数のレンズは、
第１のレンズと、
前記第１のレンズとは前記基準線を挟んで反対側に配置される第２のレンズと、を含み、
前記第１のレンズの中心と前記基準線との距離は、前記第２のレンズの中心と前記基準線との距離に等しく、
前記複数の発光素子は、
第１の発光素子と、
前記第１の発光素子とは前記基準線を挟んで反対側に配置される第２の発光素子と、を含み、
前記第１の発光素子と前記基準線との距離は、前記第２の発光素子と前記基準線との距離に等しく、
前記第１の発光素子および前記第２の発光素子のうち何れか一方を発光させる駆動回路をさらに備える、
発光装置。
【請求項２】
請求項１に記載の発光装置であって、
前記複数の発光素子は、
前記基準線から見て前記第１の発光素子と同じ側に配置される第３の発光素子と、
前記基準線から見て前記第２の発光素子と同じ側に配置される第４の発光素子と、をさらに含み、
前記第１の発光素子と前記第３の発光素子とは前記基準線の延在方向において異なる位置に配置され、
前記第２の発光素子と前記第４の発光素子とは前記基準線の延在方向において異なる位置に配置され、
前記基準線と前記第３の発光素子との距離は、前記基準線と前記第４の発光素子との距離に等しく、かつ、前記基準線と前記第１の発光素子との距離とは異なり、
前記駆動回路は、前記第１の発光素子と前記第３の発光素子とを含む第１の発光ライン、および、前記第２の発光素子と前記第４の発光素子とを含む第２の発光ラインのうち何れか一方の発光ラインに属する各発光素子を発光させる、
発光装置。
【請求項３】
基準線に沿って並ぶ、複数の発光素子と、前記各発光素子からの出射光を集光する複数のレンズとを有し、
前記複数のレンズは、
第１のレンズと、
前記第１のレンズとは前記基準線を挟んで反対側に配置される第２のレンズと、を含み、
前記第１のレンズの中心と前記基準線との距離は、前記第２のレンズの中心と前記基準線との距離に等しく、
前記複数の発光素子は、
第１の発光素子と、
前記第１の発光素子とは前記基準線を挟んで反対側に配置される第２の発光素子と、
前記基準線から見て前記第１の発光素子と同じ側に配置される第３の発光素子と、
前記基準線から見て前記第２の発光素子と同じ側に配置される第４の発光素子と、を含み、
前記第１の発光素子および前記第３の発光素子は、前記基準線から見て前記第１のレンズと同じ側に配置され、
前記第２の発光素子および前記第４の発光素子は、前記基準線から見て前記第２のレンズと同じ側に配置され、
前記第１の発光素子と前記第２の発光素子とは前記基準線の延在方向において異なる位置に配置され、
前記第３の発光素子と前記第４の発光素子とは前記基準線の延在方向において異なる位置に配置され、
前記基準線と前記第１の発光素子との距離は、前記基準線と前記第２の発光素子との距離に等しく、
前記第１の発光素子は、前記第３の発光素子よりも、前記第１のレンズの中心を通って前記基準線に沿って延びる第１の直線に近い位置に配置され、
前記第２の発光素子は、前記第４の発光素子よりも、前記第２のレンズの中心を通って前記基準線に沿って延びる第２の直線に近い位置に配置され、
前記駆動回路は、前記第１の発光素子と前記第２の発光素子とを含む第１の発光ライン、および、前記第３の発光素子と第４の発光素子とを含む第２の発光ラインのうち何れか一方の発光ラインに属する各発光素子を発光させる、
発光装置。
【請求項４】
請求項１に記載の発光装置であって、
前記複数の発光素子は、
前記基準線から見て前記第１の発光素子と同じ側に配置される第３の発光素子と、
前記基準線から見て前記第２の発光素子と同じ側に配置される第４の発光素子と、をさらに含み、
前記第１の発光素子と前記第４の発光素子とは前記基準線の延在方向において異なる位置に配置され、
前記第２の発光素子と前記第３の発光素子とは前記基準線の延在方向において異なる位置に配置され、
前記基準線と前記第３の発光素子との距離は、前記基準線と前記第４の発光素子との距離に等しく、かつ、前記基準線と前記第１の発光素子との距離とは異なり、
前記駆動回路は、前記第１の発光素子と前記第４の発光素子とを含む第１の発光ライン、および、前記第２の発光素子と前記第３の発光素子とを含み第２の発光ラインのうち何れか一方の発光ラインに属する各発光素子を発光させる、
発光装置。
【請求項５】
第１方向とは異なる第２方向に所定の間隔をあけて配置された第１の発光素子と第２の発光素子との対が、前記第１方向に沿って複数配置され、
前記複数の対の各々における前記第１の発光素子を含む第１の発光ラインと前記複数の対の各々における前記第２の発光素子とを含む第２の発光ラインのうち何れかの発光ラインに属する各発光素子を発光させる駆動回路を備え、
前記第１方向に沿って配置されて前記各発光素子からの出射光を集光する複数のレンズを各々が含む第１のレンズ群および第２のレンズ群が前記第２方向に並列に配置され、
前記複数の対のうち奇数番目の各々の対については、前記第１のレンズ群における各レンズの中心を通って前記第１方向に延びる第１の直線、および、前記第２のレンズ群における各レンズの中心を通って前記第１方向に延びる第２の直線、からの前記第２方向における距離が等しい基準線から見て前記第２方向における一方側に前記第１の発光素子が配置されるとともに、他方側に前記第２の発光素子が配置され、
前記複数の対のうち偶数番目の各々の対については、前記基準線から見て前記第２方向における前記他方側に前記第１の発光素子が配置されるとともに、前記一方側に前記第２の発光素子が配置される、
発光装置。
【請求項６】
請求項５に記載の発光装置であって、
前記第１方向に隣接する各対において、各発光素子の前記第２方向における位置は異なる
発光装置。
【請求項７】
請求項１から請求項６の何れかの発光装置を備える電子機器。
【発明の詳細な説明】
【技術分野】
【０００１】
本発明は、発光素子を用いた発光装置および電子機器に関する。
【背景技術】
【０００２】
例えば電子写真方式の画像形成装置においては、感光体ドラムなどの像担持体に静電潜像を形成するための光ヘッドとして、複数の発光素子を基板上に配置した発光装置が用いられる。特許文献１には、複数の発光素子を主走査方向に沿って配置した発光ラインを複数行設け、実際に像担持体の露光に使用する発光ラインを所定の条件により変更するという技術が開示されている。
【特許文献１】特開２００５―９６２５９号公報
【発明の開示】
【発明が解決しようとする課題】
【０００３】
発光ラインに属する各発光素子からの出射光はレンズアレイで集光されて像担持体の被露光面に到達する。例えば、複数の発光ラインのうちの１つの発光ラインを使用する場合と、他の発光ラインを使用する場合とで、使用する発光ラインに属する各発光素子とレンズアレイとの位置関係が異なると、像担持体の露光面に結像する像の形状も異なる。
また、特許文献１においては、各発光ラインは複数の発光素子が主走査方向に配列する１行の素子群で構成される。発光ラインに属する各発光素子間には所定の間隔を確保する必要があるから、特許文献１の構成では、高い解像度が要求される場合に十分な画像を形成することが困難である。
以上の事情に鑑みて、本発明は、発光素子を用いた発光装置の露光品質を向上させるという課題の解決を目的としている。
【課題を解決するための手段】
【０００４】
以上の課題を解決するために、本発明に係る発光装置は、基準線に沿って並ぶ、複数の発光素子と、前記各発光素子からの出射光を集光するレンズとを有し、複数のレンズは、第１のレンズと、第１のレンズとは基準線を挟んで反対側に配置される第２のレンズと、を含み、第１のレンズの中心と基準線との距離は、第２のレンズの中心と基準線との距離に等しく、複数の発光素子は、第１の発光素子と、第１の発光素子とは基準線を挟んで反対側に配置される第２の発光素子と、を含み、第１の発光素子（例えば図４に示す素子群Ｇ１に属するひとつの発光素子Ｅ）と基準線との距離（例えば図４に示すＤ１）は、第２の発光素子（例えば図４に示す素子群Ｇ２に属するひとつの発光素子Ｅ）と基準線との距離（例えば図４に示すＤ２）に等しく、第１の発光素子および第２の発光素子のうち何れか一方を発光させる駆動回路をさらに備える。
【０００５】
また、本発明に係る発光装置は、第１方向に配列する複数の発光素子を各々が含む第１の素子群および第２の素子群が前記第１方向とは異なる第２方向に並列に配置され、第１の素子群および第２の素子群のうち何れかを発光させる駆動手段を備え、第１方向に沿って配置されて各発光素子からの出射光を集光する複数のレンズを各々が含む第１のレンズ群および第２のレンズ群が第２方向に並列に配置され、第１のレンズ群における各レンズの中心を通って第１方向に延びる第１の直線、および、第２のレンズ群における各レンズの中心を通って第１方向に延びる第２の直線、からの第２方向における距離が等しい基準線から見て第２方向における一方側に第１の素子群が配置され、基準線から見て第２方向における他方側に第２の素子群が配置され、基準線と第１の素子群の発光素子との間の第２方向における距離である第１の距離は、基準線と第２の素子群の発光素子との間の第２方向における距離と等しい態様とすることもできる。
【０００６】
以上の態様においては、基準線と第１の素子群の発光素子との間の第２方向における距離と、基準線と第２の素子群の発光素子との間の第２方向における距離と、が等しいので、第１の素子群に属する発光素子からの出射光がレンズを透過して像担持体の被露光面に到達する領域（以下、「露光スポット」という）の態様と、第２の素子群に属する各発光素子が発光して像担持体の被露光面に形成される各露光スポットの態様と、を均一化できる。これによって、第１の素子群が発光する場合と第２の素子群が発光する場合とで露光品質がばらつくことを抑制できる。
【０００７】
本発明の好適な態様において、複数の発光素子は、基準線から見て第１の発光素子と同じ側に配置される第３の発光素子（例えば図５に示す素子群Ｇ３に属するひとつの発光素子Ｅ）と、基準線から見て第２の発光素子と同じ側に配置される第４の発光素子（例えば図５に示す素子群Ｇ４に属するひとつの発光素子Ｅ）と、をさらに含み、第１の発光素子と第３の発光素子とは基準線の延在方向（例えば図５に示すＸ方向）において異なる位置に配置され、第２の発光素子と第４の発光素子とは基準線の延在方向において異なる位置に配置され、基準線と第３の発光素子との距離(例えば図５に示すＤ３)は、基準線と第４の発光素子との距離（例えば図５に示すＤ４）に等しく、かつ、基準線と第１の発光素子との距離（例えば図５に示すＤ１＝Ｄ２）とは異なり、駆動回路は、第１の発光素子と第３の発光素子とを含む第１の発光ライン、および、第２の発光素子と第４の発光素子とを含む第２の発光ラインのうち何れか一方の発光ラインに属する各発光素子を発光させる。
【０００８】
また、第１方向に配列する複数の発光素子を各々が含む第３の素子群および第４の素子群を更に備え、第３の素子群は基準線から見て第２方向における一方側に配置され、第４の素子群は基準線から見て第２方向における他方側に配置され、第１の素子群に属する各発光素子と第３の素子群に属する各発光素子とは第１方向において異なる位置に配置され、第２の素子群に属する各発光素子と第４の素子群に属する各発光素子とは第１方向において異なる位置に配置され、基準線と第３の素子群の発光素子との間の第２方向における距離である第２の距離は、基準線と第４の素子群における発光素子との間の第２方向における距離と等しく、かつ、第１の距離と異なり、駆動手段は、第１の素子群と第３の素子群とを含む第１の発光ラインおよび第２の素子群と第４の素子群とを含む第２の発光ラインのうち何れかの発光ラインに属する各発光素子を駆動する態様とすることもできる。
【０００９】
以上の態様においては、第１の素子群に属する各発光素子と第３の素子群に属する各発光素子、および、第２の素子群に属する各発光素子と第４の素子群に属する各発光素子は、それぞれ第１方向において異なる位置に配置されるから、発光装置が像担持体に形成する画像（潜像）を高精細化できる。また、第１の発光ラインが発光する場合と第２の発光ラインが発光する場合とで露光品質がばらつくことも抑制できる。
【００１０】
本発明に係る発光装置は、基準線に沿って並ぶ、複数の発光素子と、前記各発光素子からの出射光を集光する複数のレンズとを有し、複数のレンズは、第１のレンズと、第１のレンズとは基準線を挟んで反対側に配置される第２のレンズと、を含み、第１のレンズの中心と基準線との距離は、第２のレンズの中心と基準線との距離に等しく、複数の発光素子は、第１の発光素子（例えば図７に示す素子群Ｇ１に属するひとつの発光素子Ｅ）と、第１の発光素子とは基準線を挟んで反対側に配置される第２の発光素子（例えば図７に示す素子群Ｇ２に属するひとつの発光素子Ｅ）と、基準線から見て第１の発光素子と同じ側に配置される第３の発光素子（例えば図７に示す素子群Ｇ３に属するひとつの発光素子Ｅ）と、基準線から見て第２の発光素子と同じ側に配置される第４の発光素子（例えば図７に示す素子群Ｇ４に属するひとつの発光素子Ｅ）と、を含み、第１の発光素子および第３の発光素子は、基準線から見て第１のレンズと同じ側に配置され、第２の発光素子および第４の発光素子は、基準線から見て第２のレンズと同じ側に配置され、第１の発光素子と第２の発光素子とは基準線の延在方向において異なる位置に配置され、第３の発光素子と第４の発光素子とは基準線の延在方向において異なる位置に配置され、基準線と第１の発光素子との距離（例えば図７に示すＤ１）は、基準線と第２の発光素子との距離（例えば図７に示すＤ２）に等しく、第１の発光素子は、第３の発光素子よりも、第１のレンズの中心を通って基準線に沿って延びる第１の直線（例えば図７に示す直線Ｌａ１）に近い位置に配置され、第２の発光素子は、第４の発光素子よりも、第２のレンズの中心を通って基準線に沿って延びる第２の直線（例えば図７に示す直線Ｌａ２）に近い位置に配置され、駆動回路は、第１の発光素子と第２の発光素子とを含む第１の発光ライン、および、第３の発光素子と第４の発光素子とを含む第２の発光ラインのうち何れか一方の発光ラインに属する各発光素子を発光させる。
【００１１】
また、本発明に係る発光装置は、第１方向に配列する複数の発光素子を各々が含む第１の素子群と第２の素子群と第３の素子群と第４の素子群とが前記第１方向とは異なる第２方向に並列に配置され、第１の素子群と第２の素子群とを含む第１の発光ラインおよび第３の素子群と第４の素子群とを含む第２の発光ラインのうち何れかの発光ラインに属する各発光素子を駆動する駆動手段を備え、第１方向に沿って配置されて各発光素子からの出射光を集光する複数のレンズを各々が含む第１のレンズ群および第２のレンズ群が第２方向に並列に配置され、第１のレンズ群における各レンズの中心を通って第１方向に延びる第１の直線、および、第２のレンズ群における各レンズの中心を通って第１方向に延びる第２の直線、からの第２方向における距離が等しい基準線から見て第２方向における一方側に第１の素子群と第３の素子群が配置され、基準線から見て第２方向における他方側に第２の素子群と第４の素子群が配置され、第１の素子群に属する各発光素子と第２の素子群に属する各発光素子とは第１方向において異なる位置に配置され、第３の素子群に属する各発光素子と第４の素子群に属する各発光素子とは第１方向において異なる位置に配置され、基準線と第１の素子群の発光素子との間の第２方向における距離は、基準線と第２の素子群の発光素子との間の第２方向における距離と等しく、第１の素子群に属する各発光素子は、第３の素子群に属する各発光素子よりも第１の直線に近い位置に配置され、第２の素子群に属する各発光素子は、第４の素子群に属する各発光素子よりも第２の直線に近い位置に配置される態様とすることもできる。
【００１２】
以上の態様によれば、第１の発光ラインに属する各発光素子は、第２の発光ラインに属する各発光素子よりもレンズの中心線に近い位置に配置されるから、第１の発光ラインによる各露光スポットは、第２の発光ラインによる各露光スポットに比べて整った形状（正円形）となる。また、第１の素子群に属する各発光素子と第２の素子群に属する各発光素子とは第１方向において異なる位置に配置されるから、発光装置が像担持体に形成する画像（潜像）を高精細化できる。従って、第１の発光ラインを使用する場合には、像担持体の露光面に形成される各露光スポットを均一に整った形状としつつ形成する画像（潜像）を高精細化できる。また、この態様においては、高い解像度が要求されるモードの場合は第１の発光ラインを使用し、高い解像度が要求されないモードの場合は第２の発光ラインを使用することが好適である。
【００１３】
本発明の好適な態様において、複数の発光素子は、基準線から見て第１の発光素子と同じ側に配置される第３の発光素子(例えば図８に示す素子群Ｇ３に属するひとつの発光素子Ｅ)と、基準線から見て第２の発光素子と同じ側に配置される第４の発光素子（例えば図８に示す素子群Ｇ４に属するひとつの発光素子Ｅ）と、をさらに含み、第１の発光素子と第４の発光素子とは基準線の延在方向において異なる位置に配置され、第２の発光素子と第３の発光素子とは基準線の延在方向において異なる位置に配置され、基準線と第３の発光素子との距離（例えば図８に示すＤ３）は、基準線と第４の発光素子（例えば図８に示すＤ４）との距離に等しく、かつ、基準線と第１の発光素子との距離（例えば図８に示すＤ１＝Ｄ２）とは異なり、駆動回路は、第１の発光素子と第４の発光素子とを含む第１の発光ライン、および、第２の発光素子と第３の発光素子とを含み第２の発光ラインのうち何れか一方の発光ラインに属する各発光素子を発光させる。
【００１４】
また、第１方向に配列する複数の発光素子を各々が含む第３の素子群および第４の素子群を更に備え、第３の素子群は基準線から見て第２方向における一方側に配置され、第４の素子群は基準線から見て第２方向における他方側に配置され、駆動手段は、第１の素子群と第４の素子群とを含む第１の発光ラインおよび第２の素子群と第３の素子群とを含む第２の発光ラインのうち何れかの発光ラインに属する各発光素子を駆動し、第１の素子群に属する各発光素子と第４の素子群に属する各発光素子とは第１方向において異なる位置に配置され、第２の素子群に属する各発光素子と第３の素子群に属する各発光素子とは第１方向において異なる位置に配置され、基準線と第３の素子群の発光素子との間の第２方向における距離である第２の距離は、基準線と第４の素子群における発光素子との間の第２方向における距離と等しく、かつ、第１の距離と異なる態様とすることもできる。以上の態様であっても、発光装置が像担持体に形成する画像（潜像）を高精細化できるとともに、第１の発光ラインが発光する場合と第２の発光ラインが発光する場合とで露光品質がばらつくことを抑制できる。
【００１５】
また、本発明に係る発光装置は、第１方向とは異なる第２方向に所定の間隔をあけて配置された第１の発光素子と第２の発光素子との対が、第１方向に沿って複数配置され、複数の対の各々における第１の発光素子を含む第１の発光ラインと複数の対の各々における第２の発光素子とを含む第２の発光ラインのうち何れかの発光ラインに属する各発光素子を駆動する駆動手段を備え、第１方向に沿って配置されて各発光素子からの出射光を集光する複数のレンズを各々が含む第１のレンズ群および第２のレンズ群が前記第２方向に並列に配置され、複数の対のうち奇数番目の各々の対については、第１のレンズ群における各レンズの中心を通って第１方向に延びる第１の直線、および、第２のレンズ群における各レンズの中心を通って第１方向に延びる第２の直線、からの第２方向における距離が等しい基準線から見て第２方向における一方側に第１の発光素子が配置されるとともに、他方側に第２の発光素子が配置され、複数の対のうち偶数番目の各々の対については、基準線から見て第２方向における他方側に第１の発光素子が配置されるとともに、一方側に第２の発光素子が配置されるという態様とすることができる。
【００１６】
以上の態様によれば、第１の発光ラインに属する各々の発光素子および第２の発光ラインに属する各々の発光素子が、それぞれ第２方向に分散して配置されるから、第１の発光ラインによる各露光スポットの態様と、第２の発光ラインによる各露光スポットの態様と、を均一化できる。また、例えば第１の発光ラインに属する各々の第１の発光素子と基準線との間の第２方向における距離の総和と、第２の発光ラインに属する各々の第２の発光素子と基準線との間の第２方向における距離の総和とを等しく設定することもできる。
【００１７】
本発明の好適な態様において、第１方向に隣接する各対において、各発光素子の第２方向における位置は異なる。この態様によれば、各発光ラインに属する各発光素子を千鳥状に配列することができるから、各発光素子間の第１方向における距離を小さくして発光装置が像担持体に形成する画像（潜像）の高精細化を図ることができる。
【００１８】
次に、本発明に係る電子機器は、以上に例示した各態様に係る発光装置を備える。本発明に係る発光装置は各種の電子機器に利用される。本発明に係る電子機器の典型例は、以上の各態様に係る発光装置を感光体ドラムなどの像担持体の露光に利用した電子写真方式の画像形成装置である。画像形成装置は、露光によって潜像が形成される像担持体と、像担持体を露光する本発明の発光装置と、像担持体の潜像に対する現像材（例えばトナー）の付加によって顕像を形成する現像器とを含む。
【発明を実施するための最良の形態】
【００１９】
＜Ａ：第１実施形態＞
図１は、本発明の第１実施形態に係る発光装置を露光装置（光ヘッド）として利用した画像形成装置の部分的な構成を示す斜視図である。同図に示すように、画像形成装置は発光装置１０と集光性レンズアレイ１１と感光体ドラム（像担持体）１２とを含む。発光装置１０は、基板１３の表面に直線状に配列された多数の発光素子（図１においては図示略）を含む。これらの発光素子は、用紙などの記録材に印刷されるべき画像の態様に応じて選択的に発光する。感光体ドラム１２は、Ｘ方向（主走査方向）に延在する回転軸に支持され、外周面を発光装置１０に対向させた状態でＹ方向（記録材が搬送される副走査方向）に回転する。
【００２０】
集光性レンズアレイ１１は発光装置１０と感光体ドラム１２との間隙に配置される。集光性レンズアレイ１１は、各々の光軸を図１に示すＺ方向に向けて配列する複数のレンズ１４を含む。発光装置１０の各発光素子からの出射光は集光性レンズアレイ１１の各レンズ１４を透過したうえで感光体ドラム１２の表面に到達する。この露光によって感光体ドラム１２の表面には所望の画像に応じた潜像（静電潜像）が形成される。
【００２１】
図２は、Ｚ方向から見たときの集光性レンズアレイ１１の各レンズ１４と、発光装置１０との相対的な位置を示す平面図である。同図の小円は各発光素子Ｅの外形を示し、同図の大円は各レンズ１４の横断面を示す。図２に示すように、集光性レンズアレイ１１は、Ｘ方向に交差するＹ方向（副走査方向）に沿って並列に配置された第１のレンズ群Ｌ１と第２のレンズ群Ｌ２とを含む。第１のレンズ群Ｌ１および第２のレンズ群Ｌ２は、Ｘ方向に沿って配置された複数のレンズ１４を各々が含む。レンズ１４は、中心軸から周縁に向かって離間した位置ほど屈折率が低くなるように横断面内にて屈折率が分布する円柱状の屈折率分布型レンズである。集光性レンズアレイ１１としては、例えば日本板硝子株式会社から入手可能なＳＬＡ（セルフォック・レンズ・アレイ）がある（セルフォック／ＳＥＬＦＯＣは日本板硝子株式会社の登録商標）。
【００２２】
図２に示すように、発光装置１０は発光部２０と駆動回路３０とを具備する。発光部２０は、Ｙ方向に並列に配置された２行の素子群Ｇ（Ｇ１，Ｇ２）を含む。素子群Ｇ１は、第１のレンズ群Ｌ１における各レンズ１４の中心を通る直線Ｌａ１上に各々の中心が位置するようにピッチＰａで配置されたｎ個の発光素子Ｅの集合である。素子群Ｇ２は、第２のレンズ群Ｌ２における各レンズ１４の中心を通る直線であって直線Ｌａ１に平行な直線Ｌａ２上に各々の中心が位置するようにピッチＰａで配置されたｎ個の発光素子Ｅの集合である。発光素子Ｅは、陽極と陰極との間に有機ＥＬ材料の発光層を介在させた有機ＥＬ素子である。本形態では、素子群Ｇ１は第１の発光ラインＬＥ１を構成し、素子群Ｇ２は第２の発光ラインＬＥ２を構成する。説明の便宜上、図２においては、第１の発光ラインＬＥ１に属する各発光素子Ｅを斜線を付した丸で示し、第２の発光ラインＬＥ２に属する各発光素子Ｅを白丸で示す（他の実施形態においても同様である）。駆動回路３０は、第１の発光ラインＬＥ１および第２の発光ラインＬＥ２のうち何れか一方の発光ラインＬＥに属する各発光素子Ｅを駆動する。なお、駆動回路３０が基板１３に対して外付けされた構成も採用できる。
【００２３】
いま、図２において、直線Ｌａ１と直線Ｌａ２とからのＹ方向における距離が等しい基準線Ｌｃを想定する。図２に示すように、基準線Ｌｃから見てＹ方向における一方側（Ｙ方向の負側）に素子群Ｇ１が配置され、他方側（Ｙ方向の正側）に素子群Ｇ２が配置される。図２に示すように、基準線Ｌｃと素子群Ｇ１に属する発光素子Ｅの中心とのＹ方向における距離Ｄ１は、基準線Ｌｃと素子群Ｇ２に属する発光素子Ｅの中心とのＹ方向における距離Ｄ２と等しい。
【００２４】
図３は、駆動回路３０の回路図である。図３に示すように、駆動回路３０は、制御回路３２とｎ個の駆動部４０とインバータＩＮＶとを具備する。各駆動部４０は、制御用トランジスタＴｒ１と、駆動トランジスタＴｒ２と、切替用トランジスタＴｒ３およびＴｒ４と、を含み、第１の発光ラインＬＥ１および第２の発光ラインＬＥ２のうち何れかの発光ラインＬＥに属する発光素子Ｅに駆動電流を供給する。図３に示すように、素子群Ｇ１に属する各発光素子Ｅは、電源電位ＶＤＤが供給される高位側電源線５０と第１の低位側電源線６０との間に配置される。素子群Ｇ２に属する各発光素子Ｅは、高位側電源線５０と第２の低位側電源線７０との間に配置される。第１の低位側電源線６０と第２の低位側電源線とは図３に示すＴ点で接続され、第１の低位側電源線６０および第２の低位側電源線７０の各々には、接地電位ＶＣＣが共通に供給される。
【００２５】
制御用トランジスタＴｒ１は、階調データ（発光素子Ｅの階調を指定するデータ）に応じた電位を駆動トランジスタＴｒ２へ供給するか否かを制御するＮチャネル型のトランジスタである。制御用トランジスタＴｒ１のゲートおよびドレインは制御回路３２に接続される。駆動トランジスタＴｒ２は、ゲート・ソース間電圧に応じた駆動電流を生成して切替用トランジスタＴｒ３またはＴｒ４へ供給するＰチャネル型のトランジスタである。駆動トランジスタＴｒ２のソースは高位側電源線５０と接続され、そのゲートは制御用トランジスタＴｒ１のドレインと接続される。
【００２６】
切替用トランジスタＴｒ３およびＴｒ４は、駆動電流が供給される発光素子Ｅを切り替えるＮチャネル型のトランジスタである。各々のドレインは駆動トランジスタＴｒ２のドレイン側と接続される。切替用トランジスタＴｒ３は、駆動トランジスタＴｒ２と、素子群Ｇ１の発光素子Ｅの陽極との間に介在して両者の電気的な接続（導通／非導通）を制御する。切替用トランジスタＴｒ３のゲートは第１の選択信号線１００に接続される。図３に示すように、第１の選択信号線１００には、選択回路３４から選択信号ＳＥＬ１が供給される。選択信号ＳＥＬがハイレベルの場合は切替用トランジスタＴｒ３はオン状態となり、ローレベルの場合はオフ状態となる。
【００２７】
切替用トランジスタＴｒ４は、駆動トランジスタＴｒ２と素子群Ｇ２の発光素子Ｅの陽極との間に介在して両者の電気的な接続（導通／非導通）を制御する。切替用トランジスタＴｒ４のゲートは第２の選択信号線２００に接続される。図３に示すように、第１の選択信号線１００と第２の選択信号線２００との間にはインバータＩＮＶが配置される。インバータＩＮＶは、選択信号ＳＥＬ１を反転した選択信号ＳＥＬ２を第２の選択信号線２００に供給する。選択信号ＳＥＬ２がハイレベルの場合は切替用トランジスタＴｒ４はオン状態となり、ローレベルの場合は切替用トランジスタＴｒ４はオフ状態となる。なお、選択信号ＳＥＬ１とは独立に生成された選択信号ＳＥＬ２を外部のコントロールユニットから第２の選択信号線２００に供給することも可能であり、この場合はインバータＩＮＶは不要となる。
【００２８】
いま、第１の発光ラインＬＥ１（素子群Ｇ１）を発光させる場合、選択信号ＳＥＬ１はハイレベルに設定される。従って、切替用トランジスタＴｒ３はオン状態となり、切替用トランジスタＴｒ４はオフ状態となる。この状態で、制御回路３２からの信号が制御用トランジスタＴｒ１のゲートに供給されて制御用トランジスタＴｒ１がオン状態となり、素子群Ｇ１における発光素子Ｅの階調データに応じた電位が駆動トランジスタＴｒ２のゲートに供給される。駆動トランジスタＴｒ２では、そのゲート・ソース間電圧に応じた駆動電流が生成され、切替用トランジスタＴｒ３を介して素子群Ｇ１の発光素子Ｅに供給される。これによって、第１の発光ラインＬＥ１（素子群Ｇ１）が発光する。このとき、切替用トランジスタＴｒ４はオフ状態であるため、駆動トランジスタＴｒ２で生成された駆動電流は素子群Ｇ２に属する発光素子Ｅには供給されない。第２の発光ラインＬＥ２（素子群Ｇ２）を発光させる場合は、上記とは逆に選択信号ＳＥＬ２がハイレベルとなり、切替用トランジスタＴｒ４がオン状態となる。従って、駆動トランジスタＴｒ２で生成された駆動電流は、切替用トランジスタＴｒ４を介して素子群Ｇ２に属する発光素子Ｅに供給される。これによって、第２の発光ラインＬＥ２（素子群Ｇ２）が発光する。
【００２９】
図４は、発光ラインＬＥに属する各発光素子Ｅからの出射光が集光性レンズアレイ１１を透過して感光体ドラム１２の被露光面に到達する領域（露光スポット）を示す図である。本形態においては、基準線Ｌｃと素子群Ｇ１に属する各発光素子Ｅとの間のＹ方向における距離Ｄ１と、基準線Ｌｃと素子群Ｇ２に属する各発光素子Ｅとの間のＹ方向における距離Ｄ２と、が等しいので、素子群Ｇ１に属する各発光素子Ｅが発光して感光体ドラム１２の被露光面に形成される各露光スポットの態様と、素子群Ｇ２に属する各発光素子Ｅが発光して感光体ドラム１２の被露光面に形成される各露光スポットの態様と、を均一化できる。これによって、素子群Ｇ１が発光する場合と素子群Ｇ２が発光する場合とで露光品質がばらつくことを抑制できる。
【００３０】
また、本形態では、素子群Ｇ１に属する各発光素子Ｅと素子群Ｇ２に属する各発光素子Ｅとの間のＸ方向における位置は同じである。従って、使用する発光ラインＬＥ（素子群Ｇ）が変更されても、変更前後における各結像体の形状や位置が変化することを抑制できる。
【００３１】
＜Ｂ：第２実施形態＞
図５は、Ｚ方向から見たときの集光性レンズアレイ１１の各レンズ１４と、本発明の第２実施形態に係る発光装置１０との相対的な位置を示す平面図である。本実施形態では、発光部２０は、Ｘ方向に交差するＹ方向（副走査方向）に並列に配置された４行の素子群Ｇ（Ｇ１，Ｇ２，Ｇ３，Ｇ４）を含む点で、第１実施形態と相違する。素子群Ｇ３および素子群Ｇ４の各々は、素子群Ｇ１および素子群Ｇ２と同様に、基板１３の表面に形成されたｎ個の発光素子Ｅで形成される。その他の構成は第１実施形態と同じであるから、重複する部分については説明を省略する。
【００３２】
図５に示すように、素子群Ｇ３は、素子群Ｇ１と同様、基準線Ｌｃから見てＹ方向における一方側（Ｙ方向の負側）に配置される。図５に示すように、第１の素子群Ｇ１に属する各発光素子Ｅと第３の素子群Ｇ３に属する各発光素子Ｅとは、Ｘ方向に異なる位置に配置される。さらに詳述すると、Ｘ方向に延在する直線Ｌａ３に各々の中心が位置するようにピッチＰａで配置された複数の素子Ｅの集合である素子群Ｇ３と、直線Ｌａ３に平行な直線Ｌａ１上に各々の中心が位置するようにピッチＰａで配置された複数の素子Ｅの集合である素子群Ｇ１とが、Ｘ方向に沿ってＰａ／２だけズレた位置に配置される。すなわち、図５に示すように、素子群Ｇ１および素子群Ｇ３に属する各発光素子Ｅは、２行の千鳥状に配置される。
【００３３】
一方、図５に示すように、第４の素子群Ｇ４は、第２の素子群Ｇ２と同様、基準線Ｌｃから見てＹ方向における他方側（Ｙ方向の正側）に配置される。図５に示すように、第２の素子群Ｇ２に属する各発光素子Ｅと第４の素子群Ｇ４に属する各発光素子Ｅとは、Ｘ方向に異なる位置に配置される。さらに詳述すると、Ｘ方向に延在する直線Ｌａ４に各々の中心が位置するようにピッチＰａで配置された複数の素子Ｅの集合である素子群Ｇ４と、直線Ｌａ４に平行な直線Ｌａ２上に各々の中心が位置するようにピッチＰａで配置された複数の素子Ｅの集合である素子群Ｇ２とが、Ｘ方向に沿ってＰａ／２だけズレた位置に配置される。すなわち、図５に示すように、素子群Ｇ２および素子群Ｇ４に属する各発光素子Ｅは、２行の千鳥状に配置される。
【００３４】
また、図５に示すように、基準線Ｌｃと素子群Ｇ３に属する発光素子Ｅの中心とのＹ方向における距離Ｄ３は、基準線Ｌｃと素子群Ｇ４に属する発光素子Ｅの中心とのＹ方向における距離Ｄ４と等しく、距離Ｄ１およびＤ２とは異なる。本形態では、素子群Ｇ１と素子群Ｇ２との間に素子群Ｇ３とＧ４とが位置する（Ｄ１＝Ｄ２＞Ｄ３＝Ｄ４）。また、本形態においては、素子群Ｇ１と素子群Ｇ３とで第１の発光ラインＬＥ１が構成され、素子群Ｇ２と素子群Ｇ４とで第２の発光ラインＬＥ２が構成される。第１の発光ラインＬＥ１および第２の発光ラインＬＥのうち何れかの発光ラインＬＥに属する各発光素子Ｅは、上述の第１実施形態と同様に各駆動部４０によって選択的に駆動される。
【００３５】
図６は、使用する素子群Ｇに属する各発光素子Ｅからの出射光が集光性レンズアレイ１１を透過して感光体ドラム１２の被露光面に到達する領域（露光スポット）を示す図である。いま、第１の発光ラインＬＥ１が使用される場合を想定する。図６に示すように、素子群Ｇ１に属する各発光素子Ｅは、第１のレンズ群Ｌ１の各レンズ１４が配列する直線Ｌａ１近傍（線上）に位置するから、素子群Ｇ１が発光する場合における各々の露光スポットＡ１は整った形状（例えば正円形）となる。一方、素子群Ｇ３に属する各発光素子Ｅは、素子群Ｇ１に属する各発光素子Ｅよりも直線Ｌａ１から離れた位置（レンズ１４の周縁近傍）にあるため、素子群Ｇ３が発光する場合における各々の露光スポットＢ１は歪んだ形状（例えば楕円形）となる。そうすると、第１の発光ラインＬＥ１が使用される場合においては、図６に示すように、感光体ドラム１２の被露光面に露光スポットＡ１と露光スポットＢ１とが交互に現れる態様となる。
【００３６】
次に、第２の発光ラインＬＥ２が使用される場合を想定する。図６に示すように、素子群Ｇ２に属する各発光素子Ｅは、第１のレンズ群Ｌ２に属する各レンズ１４において、直線Ｌａ２近傍に位置するから、素子群Ｇ２が発光する場合における各々の露光スポットＡ２は整った形状（例えば正円形）となる。一方、素子群Ｇ４に属する各発光素子Ｅは、第２のレンズ群Ｌ２に属する各レンズ１４における端部近傍、すなわち、素子群Ｇ２に属する各発光素子Ｅよりも直線Ｌａ２から離れた位置にあるため、素子群Ｇ４が発光する場合における各々の露光スポットＢ２は歪んだ形状（例えば楕円形）となる。そうすると、第２の発光ラインＬＥ２が使用される場合においては、図６に示すように、感光体ドラム１２の被露光面に露光スポットＡ２と露光スポットＢ２とが交互に現れる態様となる。
【００３７】
本実施形態においては、基準線Ｌｃと素子群Ｇ１に属する各発光素子Ｅとの間のＹ方向における距離Ｄ１と、基準線Ｌｃと素子群Ｇ２に属する各発光素子Ｅとの間のＹ方向における距離Ｄ２と、が等しく、かつ、基準線Ｌｃと素子群Ｇ３に属する各発光素子Ｅとの間のＹ方向における距離Ｄ３と、基準線Ｌｃと素子群Ｇ４に属する各発光素子Ｅとの間のＹ方向における距離Ｄ４と、が等しいので、素子群Ｇ１と素子群Ｇ３とを含む第１の発光ラインＬＥ１が発光して感光体ドラム１２の被露光面に形成される露光スポットの態様と、素子群Ｇ２と素子群Ｇ４とを含む第２の発光ラインＬＥ２が発光して感光体ドラム１２の被露光面に形成される露光スポットの態様と、を均一化できる。すなわち、第１の発光ラインＬＥ１による各露光スポットおよび第２の発光ラインＬＥ２による各露光スポットの双方が正円形と楕円形とを交互に混在させたものとなる。これによって、第１の発光ラインＬＥ１が発光する場合と第２の発光ラインＬＥ２が発光する場合とで各々の露光スポットの態様がばらつくことを抑制できるので、発光装置１０の露光品質を向上させることができる。
【００３８】
ところで、画像を高精細化するためには、各発光ラインＬＥに属する各発光素子ＥのＸ方向における間隔を縮小する必要がある。本実施形態においては、第１の発光ラインＬＥ１および第２の発光ラインＬＥ２の各々に属する各発光素子Ｅは、それぞれ２行の千鳥状に配置されるから、各発光ラインＬＥにおいて互いにＸ方向に隣り合う各発光素子ＥのＸ方向における距離（Ｐａ／２）は、１つの発光ラインの複数の発光素子ＥがピッチＰａで１行のみに配列する構成（例えば図２に示す第１実施形態の構成）に比べて小さくできる。従って、本形態の構成によれば、発光装置１０が感光体ドラム１２に形成する画像（潜像）を第１実施形態の構成に比べて高精細化できるという利点がある。
【００３９】
＜Ｃ：第３実施形態＞
本実施形態においては、各発光ラインＬＥを構成する素子群Ｇの組み合わせが第２実施形態と異なる。その他の構成は第２実施形態の構成と同様であるため、重複する部分については説明を省略する。
【００４０】
図７は、素子群Ｇに属する各発光素子Ｅからの出射光が集光性レンズアレイ１１を透過して感光体ドラム１２の被露光面に到達する領域（露光スポット）を示す図である。図７に示すように、素子群Ｇ１と素子群Ｇ２とで第１の発光ラインＬＥ１が構成され、素子群Ｇ３と素子群Ｇ４とで第２の発光ラインＬＥ２が構成される。素子群Ｇ１に属する各発光素子Ｅと素子群Ｇ２に属する各発光素子Ｅとは、Ｘ方向に異なる位置に配置される。さらに詳述すると、素子群Ｇ１に属する各発光素子Ｅと、素子群Ｇ２に属する各発光素子Ｅとは、Ｘ方向において互いにＰａ／２だけズレて配置される。すなわち、図７に示すように、素子群Ｇ１および素子群Ｇ２に属する各発光素子Ｅは、２行の千鳥状に配置される。また、図７に示すように、素子群Ｇ３に属する各発光素子Ｅと第４の素子群Ｇ２に属する各発光素子Ｅとは、Ｘ方向に異なる位置に配置される。さらに詳述すると、素子群Ｇ３に属する各発光素子Ｅと、素子群Ｇ４に属する各発光素子Ｅとは、Ｘ方向においてＰａ／２だけズレて配置される。すなわち、図７に示すように、素子群Ｇ３および素子群Ｇ４に属する各発光素子Ｅは、２行の千鳥状に配置される。
【００４１】
いま、第１の発光ラインＬＥ１が使用される場合を想定する。図７に示すように、素子群Ｇ１に属する各発光素子Ｅは、第１のレンズ群Ｌ１の各レンズ１４が配列する直線Ｌａ１の近傍（線上）に位置し、素子群Ｇ２に属する各発光素子Ｅは、第２のレンズ群Ｌ２の各レンズ１４が配列する直線Ｌａ２の近傍（線上）に位置するから、素子群Ｇ１および素子群Ｇ２が発光する場合における各々の露光スポットは整った形状（例えば正円形）となる。また、第１の発光ラインＬＥ１に属する各発光素子Ｅは、２行の千鳥状に配置されるから、発光装置１０が像担持体に形成する画像（潜像）を高精細化できる。従って、本形態における第１の発光ラインＬＥ１を使用する場合には、感光体ドラム１２の披露光面に形成される各露光スポットを均一に整った形状としつつ形成する画像（潜像）を高精細化できる。すなわち、発光装置１０の露光品質を向上させることができる。本明細書における「露光品質」には、第１実施形態および第２実施形態における、発光ラインＬＥの変更に伴う露光スポットの態様のバラツキの程度だけでなく、本形態における、使用する発光ラインＬＥによる露光スポットの形状が均一に整っているか否か、形成する画像の精細化の程度も広く含まれる。
【００４２】
次に、第２の発光ラインＬＥ２が使用される場合を想定する。素子群Ｇ３に属する各発光素子Ｅは、素子群Ｇ１に属する各発光素子Ｅよりも直線Ｌａ１から離れた位置（レンズ１４の周縁近傍）にあるため、素子群Ｇ３が発光する場合における各々の結像体は楕円形のような歪んだ形状となる。また、素子群Ｇ４に属する各発光素子Ｅは、素子群Ｇ２に属する各発光素子Ｅよりも直線Ｌａ２から離れた位置（レンズ１４の周縁近傍）にあるため、素子群Ｇ４が発光する場合における各々の結像体は楕円形のような歪んだ形状となる。そうすると、図７に示すように、第２の発光ラインが使用される場合において感光体ドラムの被露光面に結像する像は、楕円形のような歪んだ形状となる。
【００４３】
本実施形態においては、第１の発光ラインＬＥ２および第２の発光ラインＬＥ２のうち何れかの発光ラインＬＥが使用モードに応じて選択される。例えば、発光装置１０を利用した画像形成装置（例えばプリンタ）においては、カラーの自然画などを印刷する場合は高い解像度を必要としないが、文字や細かい図形などを印刷する場合は高い解像度が要求される。そのため、高い解像度が要求される印刷モードにおいては第１の発光ラインＬＥ１を使用し、高い解像度が要求されない印刷モードにおいては第２の発光ラインＬＥ２を使用することにより、それぞれのモードに適合した画像を形成できる。
【００４４】
＜Ｄ：第４実施形態＞
図８は、本実施形態に係る発光装置１０と、集光性レンズアレイ１１の各レンズ１４との相対的な位置を示す平面図である。本形態においては、素子群Ｇ１と素子群Ｇ４とで第１の発光ラインＬＥ１が構成され、素子群Ｇ２と素子群Ｇ３とで第２の発光ラインＬＥ２が構成される。
【００４５】
基準線Ｌｃの一方側（Ｙ方向の負側）には、素子群Ｇ１に属する発光素子Ｅおよび素子群Ｇ３に属する発光素子Ｅの何れかに選択的に駆動電流を供給するｎ個の第１駆動部４０ａがＸ方向に沿って設けられる。各々の第１駆動部４０ａには、素子群Ｇ１の発光素子Ｅおよび素子群Ｇ３の発光素子Ｅが１つずつ接続される。基準線Ｌｃの他方側（Ｙ方向の正側）には、素子群Ｇ２に属する発光素子Ｅおよび素子群Ｇ４に属する発光素子Ｅの何れかに選択的に駆動電流を供給するｎ個の第２駆動部４０ｂがＸ方向に沿って設けられる。各々の第２駆動部４０ｂには、素子群Ｇ２の発光素子Ｅおよび素子群Ｇ４の発光素子Ｅが１つずつ接続される。第１の発光ラインＬＥ１および第２の発光ラインＬＥのうち何れかの発光ラインＬＥに属する各発光素子Ｅは、各駆動部４０によって選択的に駆動される。さらに詳述すると、第１の発光ラインＬＥ１が発光する場合は、素子群Ｇ１に属する発光素子Ｅには第１駆動部４０ａから駆動電流が選択的に供給され、素子群Ｇ４に属する発光素子Ｅには第２駆動部４０ｂから駆動電流が選択的に供給される。一方、第２の発光ラインＬＥ２が発光する場合は、素子群Ｇ３に属する各発光素子Ｅには第１駆動部４０ａから駆動電流が選択的に供給され、素子群Ｇ２に属する各発光素子Ｅには第２駆動部４０ｂから駆動電流が選択的に供給される。
【００４６】
図８に示すように、素子群Ｇ１に属する各発光素子Ｅと素子群Ｇ４に属する各発光素子Ｅとは、Ｘ方向に異なる位置に配置される。さらに詳述すると、素子群Ｇ１に属する各発光素子Ｅと、素子群Ｇ４に属する各発光素子Ｅとは、Ｘ方向において互いにＰａ／２だけズレて配置される。すなわち、図８に示すように、素子群Ｇ１および素子群Ｇ４に属する各発光素子Ｅは、２行の千鳥状に配置される。また、図８に示すように、素子群Ｇ２に属する各発光素子Ｅと素子群Ｇ３に属する各発光素子Ｅとは、Ｘ方向に異なる位置に配置される。さらに詳述すると、素子群Ｇ２に属する各発光素子Ｅと、素子群Ｇ３に属する各発光素子Ｅとは、Ｘ方向においてＰａ／２だけズレて配置される。すなわち、図８に示すように、素子群Ｇ２および素子群Ｇ３に属する各発光素子Ｅは、２行の千鳥状に配置される。
【００４７】
図９は、使用する素子群Ｇに属する各発光素子Ｅからの出射光が集光性レンズアレイ１１を透過して感光体ドラム１２の被露光面に到達する領域を示す図である。本実施形態においては、第２実施形態と同様に、距離Ｄ１と距離Ｄ２とが等しく、かつ、距離Ｄ３と距離Ｄ４とが等しいから、図９に示すように、素子群Ｇ１と素子群Ｇ４とを含む第１の発光ラインＬＥ１による各露光スポットおよび素子群Ｇ２と素子群Ｇ３とを含む第２の発光ラインＬＥ２による各露光スポットの双方が正円形と楕円形とを交互に混在させたものとなる。すなわち、発光ラインＬＥ１による各露光スポットの態様と、発光ラインＬＥ２による各露光スポットの態様と、を均一化できる。
【００４８】
また、本実施形態においては、複数の第１駆動部４０ａが基準線Ｌｃの一方側に設けられ、複数の第２駆動部４０ｂが基準線Ｌｃの他方側に設けられている。いま、複数の駆動部４０が基準線Ｌｃの一方側のみに設けられる態様（以下、「対比例」とする）を想定する。図１０に示すように、対比例においては、素子群Ｇ１に属する素子Ｅおよび素子群Ｇ２に属する素子Ｅの何れか一方に選択的に駆動電流を供給するｎ個の第１駆動部４０ａと、素子群Ｇ３に属する素子Ｅおよび素子群Ｇ４に属する素子Ｅの何れか一方に選択的に駆動電流を供給するｎ個の第２駆動部４０ｂと、を備え、第１駆動部４０ａと第２駆動部４０ｂはＸ方向に沿って交互に配置される。その他の構成は、本実施形態と同様である。
【００４９】
画像の高精細化を図るためには、各発光ラインＬＥにおける各発光素子Ｅ間のＸ方向における距離は小さいことが好ましいところ、対比例においては、図１０に示すように、素子群Ｇ１の発光素子Ｅと素子群Ｇ４の発光素子Ｅとの間には、第１の駆動部４０ａから素子群Ｇ２の発光素子Ｅへ延びる配線Ｃ１、または、第２の駆動部４０ｂから素子群Ｇ４の発光素子Ｅへ延びる配線Ｃ２が存在するため、素子群Ｇ１の発光素子Ｅと素子群Ｇ４の発光素子Ｅとの間には、配線Ｃ１または配線Ｃ２を通すためのスペースを確保する必要がある。同様に、素子群Ｇ２の発光素子Ｅと素子群Ｇ３の発光素子Ｅとの間にも配線Ｃ１または配線Ｃ２を通すためのスペースを確保する必要がある。
【００５０】
これに対して、本実施形態においては、図８に示すように、素子群Ｇ２の発光素子Ｅおよび素子群Ｇ４の発光素子Ｅは、基準線Ｌｃから見て他方側に設けられた第２駆動部４０ｂに接続されるから、基準線Ｌｃから見て一方側に設けられた第１駆動部４０ａから素子群Ｇ２の発光素子Ｅおよび素子群Ｇ４の発光素子Ｅへ配線する必要は無い。従って、第１の発光ラインＬＥ１に属する各発光素子Ｅ間のＸ方向における距離（素子群Ｇ１の発光素子Ｅと素子群Ｇ４の発光素子Ｅとの間のＸ方向における距離）および第２の発光ラインＬＥ２に属する各発光素子Ｅ間のＸ方向における距離（素子群Ｇ２の発光素子Ｅと素子群Ｇ３の発光素子Ｅとの間のＸ方向における距離）を対比例に比べて小さくできる。すなわち、本実施形態の構成によれば、画像の高精細化を図ることと、発光ラインＬＥ１が発光する場合と発光ラインＬＥ２が発光する場合とで各々の結像体の形状がばらつくことを抑制することとの両方を達成できる。
【００５１】
＜Ｅ：第５実施形態＞
図１１は、本実施形態に係る発光装置１０と、集光性レンズアレイ１１の各レンズ１４との相対的な位置を示す平面図である。本実施形態では、発光部２０は、Ｘ方向に交差するＹ方向（副走査方向）に並列に配置された６行の素子群Ｇ（Ｇ１，Ｇ２，Ｇ３，Ｇ４，Ｇ５,Ｇ６）を含む。
【００５２】
基準線Ｌｃの一方側には、素子群Ｇ１と素子群Ｇ３と素子群Ｇ５とが配置される。素子群Ｇ１に属する各発光素子Ｅと素子群Ｇ３に属する各発光素子Ｅと素子群Ｇ５に属する各発光素子ＥとはＸ方向において異なる位置に配置される。また、基準線Ｌｃの一方側には、接続された発光素子Ｅのうちの何れかの発光素子Ｅに選択的に駆動電流を供給する第１駆動部４０ａがＸ方向に沿って複数設けられる。さらに詳述すると、第（３ｋ＋１）番目の第１駆動部４０ａには、素子群Ｇ１の発光素子Ｅと素子群Ｇ３の発光素子Ｅとが１つずつ接続される（ｋ＝１,２,・・・,ｊ）。第（３ｋ＋２）番目の第１駆動部４０ａには、素子群Ｇ５の発光素子Ｅと素子群Ｇ１の発光素子Ｅとが１つずつ接続される。第（３ｋ＋３）番目の第１駆動部４０ａには、素子群Ｇ３の発光素子Ｅと素子群Ｇ５の発光素子Ｅとが１つずつ接続される。
【００５３】
基準線Ｌｃの他方側には、素子群Ｇ２と素子群Ｇ４と素子群Ｇ６とが配置される。素子群Ｇ２に属する各発光素子Ｅと素子群Ｇ４に属する各発光素子Ｅと素子群Ｇ６に属する各発光素子ＥとはＸ方向において異なる位置に配置される。また、基準線Ｌｃの他方側には、接続された発光素子Ｅのうちの何れかの発光素子Ｅに選択的に駆動電流を供給する第２駆動部４０ｂがＸ方向に沿って複数設けられる。さらに詳述すると、第（３ｋ＋１）番目の第２駆動部４０ｂには、素子群Ｇ６の発光素子Ｅと素子群Ｇ４の発光素子Ｅとが１つずつ接続される（ｋ＝１,２,・・・,ｊ）。第（３ｋ＋２）番目の第２駆動部４０ｂには、素子群Ｇ２の発光素子Ｅと素子群Ｇ６の発光素子Ｅとが１つずつ接続される。第（３ｋ＋３）番目の第２駆動部４０ｂには、素子群Ｇ４の発光素子Ｅと素子群Ｇ２の発光素子Ｅとが１つずつ接続される。
【００５４】
ここで、図１１に示すように、Ｙ方向に所定の間隔をあけて配置された２つの発光素子Ｅを１つの対Ｐとして捉える。すなわち、素子群Ｇ１の発光素子Ｅと素子群Ｇ６の発光素子Ｅとで１つの対Ｐを構成し、素子群Ｇ３の発光素子Ｅと素子群Ｇ４の発光素子Ｅとで１つの対Ｐを構成し、素子群Ｇ５の発光素子Ｅと素子群Ｇ２の発光素子Ｅとで１つの対Ｐを構成するという具合である。図１１に示すように、複数の対ＰはＸ方向に沿って配置される。そして、複数の対Ｐのうち奇数番目の各々の対Ｐにおいて基準線Ｌｃから見てＹ方向における一方側に配置された発光素子Ｅと、偶数番目の各々の対Ｐにおいて基準線Ｌｃから見てＹ方向における他方側に配置された発光素子Ｅと、で第１の発光ラインＬＥ１を構成する。説明の便宜上、図１１において第１の発光ラインＬＥ１に属する各発光素子Ｅを斜線を付した丸で示す。また、複数の対Ｐのうち奇数番目の各々の対Ｐにおいて基準線Ｌｃから見てＹ方向における他方側に配置された発光素子Ｅと、偶数番目の各々の対Ｐにおいて基準線Ｌｃから見てＹ方向における一方側に配置された発光素子Ｅと、で第２の発光ラインＬＥ２を構成する。説明の便宜上、図１１において第２の発光ラインＬＥ２に属する各発光素子Ｅを白丸で示す。第１の発光ラインＬＥ１および第２の発光ラインＬＥのうち何れかの発光ラインＬＥに属する各発光素子Ｅは、各駆動部４０によって選択的に駆動される。
【００５５】
本実施形態においては、第１の発光ラインＬＥ１に属する各々の発光素子Ｅおよび第２の発光ラインＬＥ２に属する各々の発光素子Ｅが、それぞれＹ方向に分散して配置される。これによって、第１の発光ラインＬＥ１による各露光スポットの態様と、第２の発光ラインＬＥ２による各露光スポットの態様と、を均一化できる。また、例えば第１の発光ラインＬＥ１に属する各々の発光素子Ｅと基準線Ｌｃとの間のＹ方向における距離の総和と、第２の発光ラインＬＥ２に属する各々の第２の発光素子Ｅと基準線Ｌｃとの間のＹ方向における距離の総和が等しくなるように設定することもできる。
【００５６】
また、本実施形態においては、各発光ラインＬＥに属する各発光素子Ｅは６行の千鳥状に配置されるから、発光装置１０が像担持体に形成する画像（潜像）を高精細化することもできる。
【００５７】
＜Ｆ：変形例＞
本発明は上述した各実施形態に限定されるものではなく、例えば、以下の変形が可能である。また、以下に示す変形例のうちの２以上の変形例を組み合わせることもできる。
【００５８】
（１）変形例１
上述の第４実施形態においては、各発光ラインＬＥに属する各発光素子Ｅの大きさは等しいが、これに限らず、例えば図１２に示すように、同じ駆動部４０に接続される２個の発光素子Ｅのうち基準線Ｌｃとの間のＹ方向における距離が大きい方の素子Ｅは、他の素子Ｅよりもその大きさが小さく設定されるという態様とすることもできる。さらに詳述すると、第１駆動部４０ａに接続される素子群Ｇ１の発光素子Ｅおよび素子群Ｇ３の発光素子Ｅにおいては、素子群Ｇ１の発光素子Ｅの中心と基準線Ｌｃとの間のＹ方向における距離Ｄ１の方が素子群Ｇ３の発光素子Ｅの中心と基準線Ｌｃとの間のＹ方向における距離Ｄ３よりも大きいため、素子群Ｇ１の発光素子Ｅの大きさは素子群Ｇ３に属する発光素子Ｅの大きさよりも小さく設定される。これにより、第１駆動部４０ａから素子群Ｇ３に属する発光素子Ｅへと延びる配線を通すための幅Ｗ１を素子群Ｇ１に属する各素子Ｅ間に十分に確保できる。
【００５９】
同様に、素子群Ｇ２の発光素子Ｅの大きさが素子群Ｇ４に属する発光素子Ｅの大きさよりも小さく設定されることで、第２駆動部４０ｂから素子群Ｇ４に属する発光素子Ｅへと延びる配線を通すための幅Ｗ２を素子群Ｇ２に属する各素子Ｅ間に十分に確保することができる。
【００６０】
図１２の構成によれば、各発光素子Ｅ間のピッチＰａを縮小した場合にも、各駆動部４０から対応する素子群Ｇに属する発光素子Ｅへと延びる配線のスペースを確保できるので、高解像度化を図る場合に格別に有効である。
【００６１】
また、図１２の構成において、上述の第３実施形態のように、素子群Ｇ１と素子群Ｇ２とで第１の発光ラインＬＥ１を構成し、素子群Ｇ３と素子群Ｇ４とで第２の発光ラインＬＥ２を構成するという態様とすることもできる。そして、第１の発光ラインＬＥ２および第２の発光ラインＬＥ２のうち何れかの発光ラインＬＥを使用モードに応じて選択するという態様とすることもできる。
【００６２】
（２）変形例２
上述の第５実施形態は、発光部２０はＸ方向に交差するＹ方向（副走査方向）に並列に配置された６行の素子群Ｇ（Ｇ１，Ｇ２，Ｇ３，Ｇ４，Ｇ５,Ｇ６）を含むという構成であるが、これに限らず、例えば図１３に示すように、発光部２０はＹ方向に並列に配置された２行の素子群Ｇ（Ｇ１,Ｇ２）を含む態様とすることもできる。図１３に示す構成においては、第１実施形態と同様に、基準線Ｌｃと素子群Ｇ１に属する発光素子Ｅの中心とのＹ方向における距離Ｄ１は、基準線Ｌｃと素子群Ｇ２に属する発光素子Ｅの中心とのＹ方向における距離Ｄ２と等しく、素子群Ｇ１に属する各発光素子Ｅと素子群Ｇ２に属する各発光素子Ｅとの間のＸ方向における位置は同じである。その他の構成は上述の第５実施形態と同様である。
【００６３】
要するに、Ｙ方向に所定の間隔をあけて配置された第１の発光素子Ｅ（第１の発光ラインＬＥ１に属する）と第２の発光素子Ｅ（第２の発光ラインＬＥ２に属する）との対ＰがＸ方向に沿って複数配置され、複数の対Ｐのうち奇数番目の各々の対Ｐについては、基準線Ｌｃから見てＹ方向における一方側に第１の発光素子Ｅが配置されるとともに、他方側に第２の発光素子Ｅが配置され、複数の対Ｐのうち偶数番目の各々の対Ｐについては、基準線Ｌｃから見てＹ方向における他方側に第１の発光素子Ｅが配置されるとともに、一方側に第２の発光素子Ｅが配置されるという態様であればよい。また、第５実施形態のように、Ｘ方向に隣接する各対Ｐにおいて、各発光素子ＥのＹ方向における位置が異なるという態様とすることもできるし、図１３に示す構成のように、Ｘ方向に隣接する各対Ｐにおいて、第１の発光素子Ｅと第２の発光素子ＥとのＹ方向における位置が同じであるという態様とすることもできる。
【００６４】
（３）変形例３
上述の第１実施形態においては、素子群Ｇ１に属する各発光素子の中心は、第１のレンズ群Ｌ１における各レンズ１４の中心を通る直線Ｌａ１上に位置し、素子群Ｇ２に属する各発光素子の中心は、第２のレンズ群Ｌ２における各レンズ１４の中心を通る直線Ｌａ２上に位置するように配置されるという態様であるが、これに限らず、例えば素子群Ｇ１に属する各発光素子Ｅは直線Ｌａ１上に配置されず、素子群Ｇ２に属する各発光素子Ｅは直線Ｌａ２上に配置されないという態様とすることもできる。要するに、第１の発光ラインＬＥ１が発光する場合と第２の発光ラインＬＥ２が発光する場合とで各々の結像体のばらつきを抑制するために、基準線Ｌｃと素子群Ｇ１に属する各発光素子Ｅとの間のＹ方向における距離Ｄ１と、基準線Ｌｃと素子群Ｇ２に属する各発光素子Ｅとの間のＹ方向における距離Ｄ２と、が等しく設定されていればよい。同様に、第２実施形態においても、素子群Ｇ１に属する各発光素子Ｅは直線Ｌａ１上に配置されず、素子群Ｇ２に属する各発光素子Ｅは直線Ｌａ２上に配置されないという態様とすることもできる。
【００６５】
（４）変形例４
上述の各実施形態においては、発光素子Ｅの一例として、ＯＬＥＤ素子を取り上げたが、無機発光ダイオードやＬＥＤ（Light Emitting Diode）であってもよい。要は、駆動電流に応じた発光輝度で発光するのであれば、どのような素子であってもよい。
【００６６】
（５）変形例５
発光部２０に配置される素子群Ｇの行数は任意である。例えば図１４に示すように、８行の素子群Ｇ（Ｇ１,Ｇ２,Ｇ３,Ｇ４,Ｇ５,Ｇ６,Ｇ７,Ｇ８）が発光部２０に配置される構成を採用することもできる。図１４において、素子群Ｇ１,Ｇ３,Ｇ５,Ｇ７は、基準線Ｌｃから見てＹ方向の負側に配置されて第１の発光ラインＬＥ１を構成する一方、素子群Ｇ２,Ｇ４,Ｇ６,Ｇ８は、基準線Ｌｃから見てＹ方向の正側に配置されて第２の発光ラインＬＥ２を構成する。図１４に示すように、基準線Ｌｃと素子群Ｇ１に属する発光素子Ｅの中心とのＹ方向における距離は、基準線Ｌｃと素子群Ｇ２に属する発光素子Ｅの中心とのＹ方向における距離と等しく、その値はＤ１である。また、基準線Ｌｃと素子群Ｇ３に属する発光素子Ｅの中心とのＹ方向における距離は、基準線Ｌｃと素子群Ｇ４に属する発光素子Ｅの中心とのＹ方向における距離と等しく、その値はＤ３である。また、基準線Ｌｃと素子群Ｇ５に属する発光素子Ｅの中心とのＹ方向における距離は、基準線Ｌｃと素子群Ｇ６に属する発光素子Ｅの中心とのＹ方向における距離と等しく、その値はＤ５である。さらに、基準線Ｌｃと素子群Ｇ７に属する発光素子Ｅの中心とのＹ方向における距離は、基準線Ｌｃと素子群Ｇ８に属する発光素子Ｅの中心とのＹ方向における距離と等しく、その値はＤ７である。
【００６７】
また、図１５に示すように、８行の素子群Ｇ（Ｇ１,Ｇ２,Ｇ３,Ｇ４,Ｇ５,Ｇ６,Ｇ７,Ｇ８）が発光部２０に配置されるとともに、各素子群Ｇは、第１の発光ラインＬＥ１に属する第１の発光素子Ｅ１（図１５において白丸で示された発光素子）と第２の発光ラインＬＥ２に属する第２発光素子Ｅ２（図１５において斜線を付した丸で示された発光素子）とが交互に配置されて構成されるという態様であってもよい。図１５において、素子群Ｇ１〜Ｇ８の各々は、Ｘ方向にピッチＰで配置されたｎ個の発光素子Ｅの集合である。図１５に示すように、各素子群Ｇは、Ｘ方向にＰ／４ずつずれて配置される。図１５に示す構成では、各素子群Ｇのひとつの第１の発光素子Ｅ１がＸ方向にＰ／４ずつずれて配置されてひとつの単位列Ｌｉ１が構成されるとともに、各素子群Ｇのひとつの第２発光素子Ｅ２がＸ方向にＰ／４ずつずれて配置されてひとつの単位列Ｌｉ２が構成される。そして、単位列Ｌｉ１と単位列Ｌｉ２とがＸ方向に沿って交互に配列される。なお、図１５においては、レンズ１４の図示を省略しているが、レンズ１４の態様は図１４に示す構成と同じである。
【００６８】
図１５においては、ひとつの単位列Ｌｉを構成する８個の発光素子は、第１の発光素子Ｅ１および第２発光素子Ｅ２のうち何れか一方のみの発光素子で構成されているが、例えば図１６に示すように、ひとつの単位列Ｌｉは、第１の発光素子Ｅ１と第２発光素子Ｅ２とが交互に配置されて構成される態様とすることもできる。
＜Ｇ：電子機器＞
次に、図１４を参照して、本発明に係る電子機器のひとつの態様である画像形成装置について説明する。この画像形成装置は、ベルト中間転写体方式を利用したタンデム型のフルカラー画像形成装置である。
【００６９】
この画像形成装置では、各々が同様の構成である４個の発光装置１０Ｋ，１０Ｃ，１０Ｍ，１０Ｙが、各々の構成が同様である４個の感光体ドラム（像担持体）１１０Ｋ，１１０Ｃ，１１０Ｍ，１１０Ｙの像形成面１１０に対向する位置にそれぞれ配置されている。発光装置１０Ｋ，１０Ｃ，１０Ｍ，１０Ｙは、上記の各形態に係る発光装置１０と同様の構成である。
【００７０】
図１４に示すように、この画像形成装置には、駆動ローラ１２１と従動ローラ１２２とが設けられており、これらのローラ１２１，１２２には無端の中間転写ベルト１２０が巻回されて、矢印に示すようにローラ１２１，１２２の周囲を回転させられる。図示しないが、中間転写ベルト１２０に張力を与えるテンションローラなどの張力付与手段を設けてもよい。
【００７１】
この中間転写ベルト１２０の周囲には、外周面に感光層を有する４個の感光体ドラム１１０Ｋ，１１０Ｃ，１１０Ｍ，１１０Ｙが互いに所定の間隔をおいて配置される。添字「Ｋ」，「Ｃ」，「Ｍ」，「Ｙ」はそれぞれ黒、シアン、マゼンタ、イエローの顕像を形成するために使用されることを意味している。他の部材についても同様である。感光体ドラム１１０Ｋ，１１０Ｃ，１１０Ｍ，１１０Ｙは、中間転写ベルト１２０の駆動と同期して回転駆動される。
【００７２】
各感光体ドラム１１０（Ｋ，Ｃ，Ｍ，Ｙ）の周囲には、コロナ帯電器１１１（Ｋ，Ｃ，Ｍ，Ｙ）と、発光装置１０（Ｋ，Ｃ，Ｍ，Ｙ）と、現像器１１４（Ｋ，Ｃ，Ｍ，Ｙ）とが配置されている。コロナ帯電器１１１（Ｋ，Ｃ，Ｍ，Ｙ）は、これに対応する感光体ドラム１１０（Ｋ，Ｃ，Ｍ，Ｙ）の像形成面１１０Ａ（外周面）を一様に帯電させる。発光装置１０（Ｋ，Ｃ，Ｍ，Ｙ）は、各感光体ドラムの帯電した像形成面１１０Ａに静電潜像を書き込む。各発光装置１０（Ｋ，Ｃ，Ｍ，Ｙ）においては、感光体ドラム１１０（Ｋ，Ｃ，Ｍ，Ｙ）の母線（主走査方向）に沿って複数の発光素子２０が配列する。静電潜像の書き込みは、複数の発光素子２０によって感光体ドラム１１０（Ｋ，Ｃ，Ｍ，Ｙ）に光を照射することにより行う。現像器１１４（Ｋ，Ｃ，Ｍ，Ｙ）は、静電潜像に現像剤としてのトナーを付着させることにより感光体ドラム１１０（Ｋ，Ｃ，Ｍ，Ｙ）に顕像（すなわち可視像）を形成する。
【００７３】
このような４色の単色顕像形成ステーションにより形成された黒、シアン、マゼンタ、イエローの各顕像は、中間転写ベルト１２０上に順次に一次転写されることによって中間転写ベルト１２０上で重ね合わされ、この結果としてフルカラーの顕像が形成される。中間転写ベルト１２０の内側には、４つの一次転写コロトロン（転写器）１１２（Ｋ，Ｃ，Ｍ，Ｙ）が配置されている。一次転写コロトロン１１２（Ｋ，Ｃ，Ｍ，Ｙ）は、感光体ドラム１１０（Ｋ，Ｃ，Ｍ，Ｙ）の近傍にそれぞれ配置されており、感光体ドラム１１０（Ｋ，Ｃ，Ｍ，Ｙ）から顕像を静電的に吸引することにより、感光体ドラムと一次転写コロトロンの間を通過する中間転写ベルト１２０に顕像を転写する。
【００７４】
最終的に画像を形成する対象（記録材）としてのシート１０２は、ピックアップローラ１０３によって、給紙カセット１０１から１枚ずつ給送されて、駆動ローラ１２１に接した中間転写ベルト１２０と二次転写ローラ１２６の間のニップに送られる。中間転写ベルト１２０上のフルカラーの顕像は、二次転写ローラ１２６によってシート１０２の片面に一括して二次転写され、定着部である定着ローラ対１２７を通ることでシート１０２上に定着される。この後、シート１０２は、排紙ローラ対１２８によって、装置上部に形成された排紙カセット上へ排出される。
【００７５】
次に、図１５を参照して、本発明に係る画像形成装置の他の形態について説明する。この画像形成装置は、ベルト中間転写体方式を利用したロータリ現像式のフルカラー画像形成装置である。図１５に示すように、感光体ドラム１１０の周囲には、コロナ帯電器１６８と、ロータリ式の現像ユニット１６１と、上記の実施形態に係る発光装置１０と、中間転写ベルト１６９とが設けられている。
【００７６】
コロナ帯電器１６８は、感光体ドラム１１０の外周面を一様に帯電させる。発光装置１０は、感光体ドラム１１０の帯電させられた像形成面（外周面）に静電潜像を書き込む。この発光装置１０においては、感光体ドラム１１０の母線（主走査方向）に沿って複数の発光素子３２が配列する。静電潜像の書き込みは、これらの発光素子３２から感光体ドラム１１０に光を照射することにより行う。
【００７７】
現像ユニット１６１は、４つの現像器１６３Ｙ，１６３Ｃ，１６３Ｍ，１６３Ｋが９０°の角間隔をおいて配置されたドラムであり、軸１６１ａを中心にして反時計回りに回転可能である。現像器１６３Ｙ，１６３Ｃ，１６３Ｍ，１６３Ｋは、それぞれイエロー、シアン、マゼンタ、黒のトナーを感光体ドラム１１０に供給して、静電潜像に現像剤としてのトナーを付着させることにより感光体ドラム１１０に顕像（すなわち可視像）を形成する。
【００７８】
無端の中間転写ベルト１６９は、駆動ローラ１７０ａ、従動ローラ１７０ｂ、一次転写ローラ１６６およびテンションローラに巻回されて、これらのローラの周囲を矢印に示す向きに回転させられる。一次転写ローラ１６６は、感光体ドラム１１０から顕像を静電的に吸引することにより、感光体ドラム１１０と一次転写ローラ１６６の間を通過する中間転写ベルト１６９に顕像を転写する。
【００７９】
具体的には、感光体ドラム１１０の最初の１回転で、発光装置１０によりイエロー（Ｙ）像のための静電潜像が書き込まれて現像器１６３Ｙにより同色の顕像が形成され、さらに中間転写ベルト１６９に転写される。また、次の１回転で、発光装置１０Ａによりシアン（Ｃ）像のための静電潜像が書き込まれて現像器１６３Ｃにより同色の顕像が形成され、イエローの顕像に重なり合うように中間転写ベルト１６９に転写される。そして、このようにして感光体ドラム１１０が４回転する間に、イエロー、シアン、マゼンタ、黒の顕像が中間転写ベルト１６９に順次に重ね合わせられ、この結果としてフルカラーの顕像が転写ベルト１６９上に形成される。最終的に画像を形成する対象としてのシートの両面に画像を形成する場合には、中間転写ベルト１６９に表面と裏面の同色の顕像を転写し、次に中間転写ベルト１６９に表面と裏面の次の色の顕像を転写する形式で、フルカラーの顕像を中間転写ベルト１６９上に形成する。
【００８０】
画像形成装置には、シートが通過させられるシート搬送路１７４が設けられている。シートは、給紙カセット１７８から、ピックアップローラ１７９によって１枚ずつ取り出され、搬送ローラによってシート搬送路１７４を進行させられ、駆動ローラ１７０ａに接した中間転写ベルト１６９と二次転写ローラ１７１の間のニップを通過する。二次転写ローラ１７１は、中間転写ベルト１６９からフルカラーの顕像を一括して静電的に吸引することにより、シートの片面に顕像を転写する。二次転写ローラ１７１は、図示しないクラッチにより中間転写ベルト１６９に接近および離間させられるようになっている。そして、シートにフルカラーの顕像を転写する時に二次転写ローラ１７１は中間転写ベルト１６９に当接させられ、中間転写ベルト１６９に顕像を重ねている間は二次転写ローラ１７１から離される。
【００８１】
以上のようにして画像が転写されたシートは定着器１７２に搬送され、定着器１７２の加熱ローラ１７２ａと加圧ローラ１７２ｂの間を通過させられることにより、シート上の顕像が定着する。定着処理後のシートは、排紙ローラ対１７６に引き込まれて矢印Ｆの向きに進行する。両面印刷の場合には、シートの大部分が排紙ローラ対１７６を通過した後、排紙ローラ対１７６が逆方向に回転させられ、矢印Ｇで示すように両面印刷用搬送路１７５に導入される。そして、二次転写ローラ１７１により顕像がシートの他面に転写され、再び定着器１７２で定着処理が行われた後、排紙ローラ対１７６でシートが排出される。
【００８２】
図１４および図１５に例示した画像形成装置は、ＯＬＥＤ素子を発光素子２０として採用した光源（露光手段）を利用しているので、レーザ走査光学系を用いた場合よりも装置が小型化される。なお、以上に例示した以外の電子写真方式の画像形成装置にも本発明の発光装置１０を採用することができる。例えば、中間転写ベルトを使用せずに感光体ドラムからシートに対して直接的に顕像を転写するタイプの画像形成装置や、モノクロの画像を形成する画像形成装置にも本発明に係る発光装置１０を応用することが可能である。
【００８３】
本発明に係る発光装置の用途は感光体の露光に限定されない。例えば、本発明の発光装置は、原稿などの読取対象に光を照射するライン型の光ヘッド（照明装置）としてスキャナなどの画像読取装置に採用される。この種の画像読取装置としては、スキャナ、複写機やファクシミリの読取部分、バーコードリーダ、あるいはＱＲコード（登録商標）のような二次元画像コードを読む二次元画像コードリーダがある。また、複数の発光素子（特に発光素子）を面状に配列した発光装置は、液晶パネルの背面側に配置されるバックライトユニットとしても採用される。また、複数の発光素子を行列状に配列した発光装置は各種の電子機器の表示装置として採用される。
【図面の簡単な説明】
【００８４】
【図１】第１実施形態に係る画像形成装置の部分的な構成を示す斜視図である。
【図２】同実施形態に係る発光装置の平面図である。
【図３】同実施形態に係る駆動回路の回路図である。
【図４】同実施形態に係る発光装置による露光を説明するための図である。
【図５】第２実施形態に係る発光装置の平面図である。
【図６】同実施形態に係る発光装置による露光を説明するための図である。
【図７】第３実施形態に係る発光装置による露光を説明するための図である。
【図８】第４実施形態に係る発光装置の平面図である。
【図９】同実施形態に係る発光装置による露光を説明するための図である。
【図１０】第４実施形態の対比例に係る発光装置の平面図である。
【図１１】第５実施形態に係る発光装置の平面図である。
【図１２】本発明の変形例に係る発光装置の平面図である。
【図１３】本発明の変形例に係る発光装置の平面図である。
【図１４】本発明の変形例に係る発光装置の平面図である。
【図１５】本発明の変形例に係る発光装置の平面図である。
【図１６】本発明の変形例に係る発光装置の平面図である。
【図１７】本発明に係る電子機器の具体例（画像形成装置）を示す斜視図である。
【図１８】本発明に係る電子機器の具体例（画像形成装置）を示す斜視図である。
【符号の説明】
【００８５】
１０……発光装置、１１……集光性レンズアレイ、１４……レンズ、２０……発光部、３０……駆動回路、４０……駆動部、Ｅ……発光素子、Ｇ（Ｇ１〜Ｇ６）……素子群、Ｌ１……第１レンズ群、Ｌ２……第２レンズ群、Ｌｃ……基準線、Ｐ……対。
【図１】
2009158477.tif 000003
【図２】
2009158477.tif 000004
【図３】
2009158477.tif 000005
【図４】
2009158477.tif 000006
【図５】
2009158477.tif 000007
【図６】
2009158477.tif 000008
【図７】
2009158477.tif 000009
【図８】
2009158477.tif 000010
【図９】
2009158477.tif 000011
【図１０】
2009158477.tif 000012
【図１１】
2009158477.tif 000013
【図１２】
2009158477.tif 000014
【図１３】
2009158477.tif 000015
【図１４】
2009158477.tif 000016
【図１５】
2009158477.tif 000017
【図１６】
2009158477.tif 000018
【図１７】
2009158477.tif 000019
【図１８】
2009158477.tif 000020